【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
図面データと当該図面データの管理状態を示すステータスを管理する管理装置と通信可能な、承認者を示す承認者オブジェクトを記憶する情報処理装置であって、
前記管理装置で管理するステータスのうち、前記承認者オブジェクトを貼り付けた図面を作成可能とするステータスを任意に設定する設定手段と、
ユーザにより指定された図面データの管理状態を示すステータスが、前記設定手段により前記承認者オブジェクトを貼り付けた図面を作成可能とするステータスとして設定されたステータスであるか否かを判定するステータス判定手段と、
前記ステータス判定手段により、前記指定された前記図面データのステータスが前記承認者オブジェクトを貼り付けた図面を作成可能とするステータスでないと判定された場合に、前記承認者オブジェクトを貼り付けた図面を出力させず、前記承認者オブジェクトを貼り付けた図面を作成可能とするステータスであると判定された場合に、前記図面データの承認者の承認者オブジェクトを前記図面データの所定の位置に貼り付ける処理を実行する貼付処理実行手段と、
前記貼付処理実行手段により承認者オブジェクトが貼り付けられた図面データの出力処理を実行する出力実行手段と
を備えることを特徴とする情報処理装置。
【請求項２】
前記ステータス判定手段により、前記指定された前記図面データのステータスが前記承認者オブジェクトを貼り付けた図面を作成可能とするステータスでないと判定された場合に、前記承認者オブジェクトを貼り付けた図面を出力できないことを通知する通知手段と
を更に備えることを特徴とする請求項１に記載の情報処理装置。
【請求項３】
前記図面データは、前記管理装置にて編集不可状態で管理されており、
前記貼付処理実行は、前記編集不可状態の図面データを読取専用で開き、前記承認者オブジェクトを前記図面データの所定の位置に貼り付ける処理を実行することを特徴とする請求項１又は２に記載の情報処理装置。
【請求項４】
前記情報処理装置は、図面管理アプリケーションと図面生成アプリケーションを記憶すると共に、前記図面管理アプリケーションと前記図面生成アプリケーションにアドオンするアドオンアプリケーションを記憶し、
前記アドオンアプリケーションの追加により、前記指定された前記図面管理アプリケーションで管理されている図面データを、前記図面生成アプリケーションで開き、当該図面データへの貼り付ける処理を実行することを特徴とする請求項１乃至３のいずれか１項に記載の情報処理装置。
【請求項５】
図面データと当該図面データの管理状態を示すステータスを管理する管理装置と通信可能な、承認者を示す承認者オブジェクトを記憶する情報処理装置の処理方法であって、
前記情報処理装置が
前記管理装置で管理するステータスのうち、前記承認者オブジェクトを貼り付けた図面を作成可能とするステータスを任意に設定する設定ステップと、
ユーザにより指定された図面データの管理状態を示すステータスが、前記設定ステップにより前記承認者オブジェクトを貼り付けた図面を作成可能とするステータスとして設定されたステータスであるか否かを判定するステータス判定ステップと、
前記ステータス判定ステップにより、前記指定された前記図面データのステータスが前記承認者オブジェクトを貼り付けた図面を作成可能とするステータスでないと判定された場合に、前記承認者オブジェクトを貼り付けた図面を出力させず、前記承認者オブジェクトを貼り付けた図面を作成可能とするステータスであると判定された場合に、前記図面データの承認者の承認者オブジェクトを前記図面データの所定の位置に貼り付ける処理を実行する貼付処理実行ステップと、
前記貼付処理実行ステップにより承認者オブジェクトが貼り付けられた図面データの出力処理を実行する出力実行ステップと
を実行することを特徴とする処理方法。
【請求項６】
図面データと当該図面データの管理状態を示すステータスを管理する管理装置と通信可能な、承認者を示す承認者オブジェクトを記憶する情報処理装置のプログラムであって、
前記情報処理装置を、
前記管理装置で管理するステータスのうち、前記承認者オブジェクトを貼り付けた図面を作成可能とするステータスを任意に設定する設定手段と、
ユーザにより指定された図面データの管理状態を示すステータスが、前記設定手段により前記承認者オブジェクトを貼り付けた図面を作成可能とするステータスとして設定されたステータスであるか否かを判定するステータス判定手段と、
前記ステータス判定手段により、前記指定された前記図面データのステータスが前記承認者オブジェクトを貼り付けた図面を作成可能とするステータスでないと判定された場合に、前記承認者オブジェクトを貼り付けた図面を出力させず、前記承認者オブジェクトを貼り付けた図面を作成可能とするステータスであると判定された場合に、前記図面データの承認者の承認者オブジェクトを前記図面データの所定の位置に貼り付ける処理を実行する貼付処理実行手段と、
前記貼付処理実行手段により承認者オブジェクトが貼り付けられた図面データの出力処理を実行する出力実行手段
として機能させることを特徴とするプログラム。
【手続補正２】
【補正対象書類名】明細書
【補正対象項目名】発明の名称
【補正方法】変更
【補正の内容】
【発明の名称】情報処理装置とその処理方法及びプログラム
【手続補正３】
【補正対象書類名】明細書
【補正対象項目名】０００７
【補正方法】変更
【補正の内容】
【０００７】
そこで、本発明の目的は、所定のステータスの図面データに対して承認者オブジェクトを貼り付けた図面データを容易に作成する仕組みを提供することである。
【手続補正４】
【補正対象書類名】明細書
【補正対象項目名】０００８
【補正方法】変更
【補正の内容】
【０００８】
本発明の目的を達成するために、図面データと当該図面データの管理状態を示すステータスを管理する管理装置と通信可能な、承認者を示す承認者オブジェクトを記憶する情報処理装置であって、前記管理装置で管理するステータスのうち、前記承認者オブジェクトを貼り付けた図面を作成可能とするステータスを任意に設定する設定手段と、ユーザにより指定された図面データの管理状態を示すステータスが、前記設定手段により前記承認者オブジェクトを貼り付けた図面を作成可能とするステータスとして設定されたステータスであるか否かを判定するステータス判定手段と、前記ステータス判定手段により、前記指定された前記図面データのステータスが前記承認者オブジェクトを貼り付けた図面を作成可能とするステータスでないと判定された場合に、前記承認者オブジェクトを貼り付けた図面を出力させず、前記承認者オブジェクトを貼り付けた図面を作成可能とするステータスであると判定された場合に、前記図面データの承認者の承認者オブジェクトを前記図面データの所定の位置に貼り付ける処理を実行する貼付処理実行手段と、前記貼付処理実行手段により承認者オブジェクトが貼り付けられた図面データの出力処理を実行する出力実行手段とを備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、所定のステータスの図面データに対して承認者オブジェクトを貼り付けた図面データを容易に作成することができる。